(57)【要約】本発明は、天然または人工毛を延長及び／または濃化するためのシステム及び方法であって、獣毛及び／または構造変性された合成繊維を含む、前記天然または人工毛に連結するのに適する追加材料、ならびに接着材料を含むシステム及び方法に関する。【特許請求の範囲】
【請求項１】
ＮＯＡＨの延長及び／または濃化システムであって：
ａ）前記ＮＯＡＨに連結するのに適する追加材料であるとともに、獣毛及び／または構造変性された合成繊維を含む追加材料；ならびに
ｂ）接着材料；
を含むシステム。
【請求項２】
前記ＮＯＡＨが人毛である、請求項１に記載のシステム。
【請求項３】
前記人毛がまつ毛である、請求項２に記載のシステム。
【請求項４】
前記人毛が眉毛である、請求項２に記載のシステム。
【請求項５】
前記獣毛が、ネコ、イヌ、またはウサギの毛から選ばれる、請求項１に記載のシステム。
【請求項６】
前記獣毛が着色される、請求項１に記載のシステム。
【請求項７】
前記接着材料がマスカラである、請求項１に記載のシステム。
【請求項８】
前記追加材料と前記接着材料が混ざり合っている、請求項１に記載のシステム。
【請求項９】
前記追加材料と前記接着材料が同一の材料である、請求項１に記載のシステム。
【請求項１０】
さらに、前記追加材料の容器を含む、請求項１に記載のシステム。
【請求項１１】
さらに、前記接着材料の容器を含む、請求項１に記載のシステム。
【請求項１２】
さらに、前記追加材料及び／または前記接着材料の塗布器を含む、請求項１に記載のシステム。
【請求項１３】
延長及び／または濃化されるべき毛に、獣毛及び／または構造変性された合成繊維を含む追加材料、ならびに接着材料を適用することを含む、ＮＯＡＨの延長及び／または濃化方法。
【請求項１４】
前記追加材料が、使用前に着色される、請求項１３に記載の方法。
【発明の詳細な説明】
【技術分野】
【０００１】
本発明は、化粧用途に関する。より具体的には、本発明は、まつ毛や眉毛等の、天然または人工毛、以後“ＮＯＡＨ”、の外観を、これらを延長及び／または濃化することによって改良及び／または改造するための装置及び方法に関する。
【背景技術】
【０００２】
現代社会では、主に女性の間で（次第に男性の間でも）、化粧品で着色、延長、及び濃化することによって体毛の外観を変えることが一般的な習慣である。髪の着色については、スタイリング、白髪隠し、及び傷みの修復等の様々な理由がある。
【０００３】
合成フィラメント等の他のＮＯＡＨの外観を変える必要性もある。合成フィラメントのスタイリングは、例えば、ファッション、芸術、及び映画産業で一般的である。
【０００４】
従来技術には、まつ毛の外観を改良するための方法及び装置が教示されている。ＵＳ４，１３５，５２７に記載されているように、接着性液体マスカラを入れた容器が、合成繊維フィラメントを入れた別容器とともに提供されている。どちらの材料も順次まつ毛に適用され、第一にマスカラ、次にフィラメントである。最終結果は延長されたまつ毛であるものの、毛の濃化はなく、記載された方法は、所要の構成と付着を促進しない比較的平滑な表面を有するという欠点を持つ合成繊維フィラメントの使用に限られる。それゆえ、延長されたまつ毛の外観は、わずかに改良されるのみであり、つけられたフィラメントは、長持ちしない不安定な追加である。
【発明の概要】
【発明が解決しようとする課題】
【０００５】
従来技術は、今までのところ、ＮＯＡＨの外観を実質的に改良しうる、かつ、毛の実質的な延長及び濃化のどちらも含む長続きする効果を与えうる効率の良い方法及び材料を提供していない。
【０００６】
本発明は、従来技術の欠点を克服するシステム及び方法を提供することを目的とする。
【０００７】
本発明は、耐久性があり、長期にわたる効果をもたらすシステム及び方法を提供することを別の目的とする。
【０００８】
本発明の他の目的及び利点は、説明が進むにつれて明らかになるであろう。
【課題を解決するための手段】
【０００９】
本発明は、ＮＯＡＨを延長及び／または濃化するためのシステムであって、獣毛及び／または構造変性された合成繊維を含む、前記ＮＯＡＨに連結するのに適する追加材料、ならびに接着材料を含むシステムに関する。前記ＮＯＡＨは例えば、まつ毛や眉毛等の人毛、または合成繊維でよい。
【００１０】
前記追加材料を構成する獣毛は、例えば、ネコ、イヌ、またはウサギの毛でよい。前記獣毛は、最初に着色してもよい。前記接着材料は、任意の色の、防水または非防水の任意の種類のマスカラでよい。
【００１１】
「構造変性された合成繊維」とは、以下にさらに説明するように、獣毛の表面に似た粗い構造にされた表面の合成繊維のことを意味する。
【００１２】
前記追加材料及び接着材料は、別々に格納及び／または使用されても、ともに供給されてもよい。従って、前記追加材料及び接着材料は、異なる容器に格納されて異なる塗布装置を用いて適用されてもよいし、ともに適用されてもよい。適切な塗布装置としては、例えば、ブラシを挙げることができる。
【００１３】
本発明は、さらに、ＮＯＡＨの延長及び／または濃化及び／または増大のための方法であって、延長及び／または濃化及び／または増大されるべき毛に、獣毛及び／または構造変性された合成繊維を含む追加材料、ならびに接着材料を適用することを含む方法に関する。前述のように、追加材料は使用前に着色してもよい。
【図面の簡単な説明】
【００１４】
【図１Ａ】図１Ａは、ナイロン繊維の略図である。
【図１Ｂ】図１Ｂは、ナイロン繊維の顕微鏡拡大写真である。
【図２Ａ】図２Ａは、人毛の略図である。
【図２Ｂ】図２Ｂは、人毛の顕微鏡拡大写真である。
【図３Ａ】図３Ａは、ウサギの毛の略図である。
【図３Ｂ】図３Ｂは、ウサギの毛の顕微鏡拡大写真である。
【図４Ａ】図４Ａは、ネコの毛の略図である。
【図４Ｂ】図４Ｂは、ネコの毛の顕微鏡拡大写真である。
【図５Ａ】図５Ａは、イヌの毛の略図である。
【図５Ｂ】図５Ｂは、イヌの毛の顕微鏡拡大写真である。
【図６Ａ】図６Ａは、図５Ａのものとは異なる血統のイヌの毛の略図である。
【図６Ｂ】図６Ｂは、図５Ｂのものとは異なる血統のイヌの毛の顕微鏡拡大写真である。
【図７】図７は、追加材料としての非着色の獣毛の写真である。
【図８】図８は、追加材料としての着色された獣毛の写真であって、ここではＮＯＡＨはまつ毛であり、目は開いている。
【図９】図９は、追加材料としての着色された獣毛の写真であって、ここではＮＯＡＨはまつ毛であり、目は閉じている。
【図１０Ａ】図１０Ａは、本発明の一部の顕微鏡拡大写真である。
【図１０Ｂ】図１０Ｂは、本発明の一部の別の顕微鏡拡大写真である。
【発明を実施するための形態】
【００１５】
本発明は、ＮＯＡＨの外観を変えるための化粧品、システム、及び方法に関する。本記載の中で、ＮＯＡＨは、例示的基材として以下の説明ではまつ毛が参照されるものの、構造変性された合成繊維、毛、またはその他の長い繊維もしくは材料等の任意の種類でよい。まつ毛への参照は、当然ながら、本発明を特定の用途に何ら限定するものではなく、本発明は、多様な基材に適用することができる。
【００１６】
ＮＯＡＨの延長及び濃化は、追加材料（すなわち、以下にさらに記載するフィラメント系材料）を基材、ＮＯＡＨに塗布することによって達成される。このシステムは、接着材料と組み合わせて塗布することができるか、または、それ自身接着性がある追加材料を含む。追加材料と接着材料が互いに別々の場合、第一に接着材料がＮＯＡＨに塗布され、次に追加材料が塗布されて、追加された材料の層を作る。前記接着材料は、前記追加材料が塗布された後に、前記第一の層と部分的に、または本質的に完全に重なりうる第二の層用に再度用いることができる。前記追加材料と接着材料が同じ材料の時、またはこれらが分離できない場合、これらは一段階の塗布でフィラメントに適用される。
【００１７】
いずれの場合でも、これら材料の塗布は、ＮＯＡＨにこれら材料を広げるのに適する任意の方法と器具によって行うことができる。適切な器具としては、例えばブラシでよい。ＮＯＡＨに前記追加材料を塗布するための適切な器具の一例は、２つの容器の組であるとともに、これら容器のそれぞれは、ブラシを備える。第一の容器は、第一のブラシで塗布される接着材料としてのマスカラを含み、他方の容器は、追加材料を塗布するための第二のブラシを備える。かかる容器とブラシの組は、マスカラと追加材料の分離に寄与し、場合によっては好ましくない、または一部の使用者にとっては塗布の利便性から好まれることがある混合を防ぐ。
【００１８】
最終構造の耐久性は、ＮＯＡＨと追加材料の間の連結の強さによって決まる。この耐久性は、追加材料及びＮＯＡＨ両方の幾何学的形態から生じる追加材料の表面とＮＯＡＨの間の摩擦に大きく左右され、摩擦が増せば、最終構造の耐久性も増す。本発明は、既定の所望のＮＯＡＨの外観を変えることに関するため、前記摩擦は、選ばれた追加材料、及び接着材料の作用である。
【００１９】
別々の追加材料及び接着材料の場合、接着材料は、いかなる種類のマスカラでもよいし、ＮＯＡＨに塗布するのに適した他の接着材料でもよい。当業者には明らかなように、多くの種類のマスカラが市販されており、本発明は、いかなる特定の種類のマスカラにも、いかなる特定の種類の他の接着材料にも限定されない。
【００２０】
追加材料のいくつかの例が図面に示されている。図１Ｂは、ナイロン繊維１０１の顕微鏡拡大写真である。図１Ａは、図１Ｂの写真の略図である。これらの図面で見られるように、ナイロン繊維の表面１０２は、本質的に平滑であり、それゆえ、耐久性のある連結を作り出すためには他の材料よりふさわしくない。従来技術によれば、合成繊維がまつ毛の延長に用いられている。これらの図面で見られるように、ナイロン繊維等の非変性合成繊維表面の幾何学的形態は実質的に平滑であり、本発明の目的には適さない。
【００２１】
図２Ｂは、人毛２０１の顕微鏡拡大写真である。図２Ａは、図２Ｂの写真の略図である。これらの図面は、人毛２０１の表面２０２が、ナイロン繊維１０１の表面１０２より平滑ではないことを示している。
【００２２】
本発明によれば、獣毛または構造変性された合成繊維（本明細書で定義した通り）は、適切な表面を備えており、従来技術と比べて最終結果を大幅に改良する。図３から図７は、獣毛の追加材料としての構造的利点を示す。
【００２３】
図３Ｂは、ウサギの毛３０１の顕微鏡拡大写真である。図３Ａは、図３Ｂの写真の略図である。これらの図面に見られるように、表面３０２は、追加材料、図３の場合はウサギの毛３０１、及び選択されたＮＯＡＨの間の摩擦に寄与するかかり（ｂａｒｂ）３０３を含んでいる。
【００２４】
図４Ｂは、ネコの毛４０１の顕微鏡拡大写真である。図４Ａは、図４Ｂの写真の略図である。ネコの毛４０１もまた、ウサギの毛３０１の表面３０２と同様、その表面４０２にかかり４０３を有しているが、ネコの毛の場合は、かかりはより長い。
【００２５】
図５Ｂ及び図６Ｂは、どちらもイヌの毛の顕微鏡拡大写真であるが、異なる種類のイヌのものである。図５Ａ及び図６Ａは、それぞれ図５Ｂ及び図６Ｂの写真の略図である。図５は、図３及び図４のものよりも幅の広いかかり５０３を示し、図６は、より大きな傾斜の大きなかかり（ｄｉｐｐｅｒ  ｂａｒｂ）６０３を示している。
【００２６】
本発明者らが行った実験では、これらの獣毛の各々は、満足できる結果を与えた。また、毛の異なる種類が最終的な外観に影響を及ぼす可能性があり、化粧品の選択肢が複数あるその他の場合と同様、個人の好みに応じて使用者によって選択されうる。さらに、追加材料は、異なる動物の毛の組み合わせを含んでもよい。
【００２７】
説明はネコ、イヌ、及びウサギの毛を参照しているが、本発明は、これらの種類の毛にのみ限定されるものではなく、これらの起源は本発明の実施形態を説明するために提供されているのみである。毛は、適切な幾何学的形態の毛表面を有する任意の動物のものでよく、すでに述べたように、獣毛の表面粗さに類似した合成フィラメントで置き換えることもできる。
【００２８】
意外にも、追加材料を最初に着色すると、結果が顕著に良くなることが実験で分かった。図７は、着色されていない追加材料７０１としての獣毛を示す。追加材料７０１の色は、追加材料７０１がつけられるまつ毛と明らかに異なる。さらに、最終構造の形は、不規則に散乱している。
【００２９】
図８及び図９は、追加材料８０１が最初に着色された場合の、結果の顕著な改良を示す。当然ながら、選択色は黒である必要はなく、元のＮＯＡＨの色に合うように使用者によって選択されてもよい。着色された追加材料８０１は、図７の追加材料７０１よりも繊維性が低く、ＮＯＡＨと一体化して、ＮＯＡＨの延長のように見える。
【００３０】
本発明の別の利点は、ＮＯＡＨへの追加の長さがほぼ無制限だという点である。ＮＯＡＨ及び追加材料間ならびに２層の追加材料間の連結はとても強いため、大量の追加材料の使用を可能にする実質的な耐久性を与える。図８では、まつ毛の最終結果８０１は、まつ毛が元のサイズの３倍を超えて延長されたことを示す。実験の際、測定された長さは２．５ｃｍ以上であった。上記の実験で裏付けられたように、獣毛が使用前に着色された場合、この獣毛とＮＯＡＨの間の連結が強化される。この発見は、製品の耐久性に多大な影響を与え、従来技術に比べてかなりの改良をもたらす。
【００３１】
図１０Ｂは、これら実施例の着色獣毛１００１の顕微鏡拡大写真であり、図１０Ａは、混合着色獣毛の顕微鏡拡大写真であり、毛の端１００２を示すとともに、この表面は、所望の幾何学的効果を与えるかかり１００３をはっきりと含んでいる。
【００３２】
工程の終了後、形成された構造は、さらに手で整えられ、丸められ、形作られてもよい。ＮＯＡＨからの追加材料の除去は、接着材料に左右される。接着材料が例えば非防水のマスカラの場合、除去は単にＮＯＡＨを水洗することによって行うことができる。例えばマスカラが防水の場合、除去は任意の従来の化粧落とし材料で行うことができる。
【００３３】
上記記載のすべては、説明の目的でなされたものであって、本発明を何ら限定するものではない。本発明は、既存の技術と比べて大きな利益をもたらす。例えば、ＮＯＡＨと追加材料の間に生じた連結はとても強いため、たとえその延長が従来技術によって達成されうるよりはるかに大きくても、その効果は２週間以上維持できるという点である。
【図１Ａ】
2016534244.tif 000002
【図１Ｂ】
2016534244.tif 000003
【図２Ａ】
2016534244.tif 000004
【図２Ｂ】
2016534244.tif 000005
【図３Ａ】
2016534244.tif 000006
【図３Ｂ】
2016534244.tif 000007
【図４Ａ】
2016534244.tif 000008
【図４Ｂ】
2016534244.tif 000009
【図５Ａ】
2016534244.tif 000010
【図５Ｂ】
2016534244.tif 000011
【図６Ａ】
2016534244.tif 000012
【図６Ｂ】
2016534244.tif 000013
【図７】
2016534244.tif 000014
【図８】
2016534244.tif 000015
【図９】
2016534244.tif 000016
【図１０Ａ】
2016534244.tif 000017
【図１０Ｂ】
2016534244.tif 000018
【手続補正書】
【提出日】平成27年7月1日(2015.7.1)
【手続補正１】
【補正対象書類名】明細書
【補正対象項目名】全文
【補正方法】変更
【補正の内容】
【発明の詳細な説明】
【技術分野】
【０００１】
本発明は、化粧用途に関する。より具体的には、本発明は、まつ毛や眉毛等の、天然または人工毛、以後“ＮＯＡＨ”、の外観を、これらを延長及び／または濃化することによって改良及び／または改造するための装置及び方法に関する。
【背景技術】
【０００２】
現代社会では、主に女性の間で（次第に男性の間でも）、化粧品で着色、延長、及び濃化することによって体毛の外観を変えることが一般的な習慣である。髪の着色については、スタイリング、白髪隠し、及び傷みの修復等の様々な理由がある。
【０００３】
合成フィラメント等の他のＮＯＡＨの外観を変える必要性もある。合成フィラメントのスタイリングは、例えば、ファッション、芸術、及び映画産業で一般的である。
【０００４】
従来技術には、まつ毛の外観を改良するための方法及び装置が教示されている。ＵＳ４，１３５，５２７に記載されているように、接着性液体マスカラを入れた容器が、合成繊維フィラメントを入れた別容器とともに提供されている。どちらの材料も順次まつ毛に適用され、第一にマスカラ、次にフィラメントである。最終結果は延長されたまつ毛であるものの、毛の濃化はなく、記載された方法は、所要の構成と付着を促進しない比較的平滑な表面を有するという欠点を持つ合成繊維フィラメントの使用に限られる。それゆえ、延長されたまつ毛の外観は、わずかに改良されるのみであり、つけられたフィラメントは、長持ちしない不安定な追加である。
【発明の概要】
【発明が解決しようとする課題】
【０００５】
従来技術は、今までのところ、ＮＯＡＨの外観を実質的に改良しうる、かつ、毛の実質的な延長及び濃化のどちらも含む長続きする効果を与えうる効率の良い方法及び材料を提供していない。
【０００６】
本発明は、従来技術の欠点を克服するシステム及び方法を提供することを目的とする。
【０００７】
本発明は、耐久性があり、長期にわたる効果をもたらすシステム及び方法を提供することを別の目的とする。
【０００８】
本発明の他の目的及び利点は、説明が進むにつれて明らかになるであろう。
【課題を解決するための手段】
【０００９】
本発明は、ＮＯＡＨを延長及び／または濃化するためのシステムであって、獣毛及び／または構造変性された合成繊維を含む、前記ＮＯＡＨに連結するのに適する追加材料、ならびに接着材料を含むシステムに関する。前記ＮＯＡＨは例えば、まつ毛や眉毛等の人毛、または表面が獣毛の表面に似た粗い構造にされた合成繊維でよい。
【００１０】
前記追加材料を構成する獣毛は、例えば、ネコ、イヌ、またはウサギの毛でよい。前記獣毛は、最初に着色してもよい。前記接着材料は、任意の色の、防水または非防水の任意の種類のマスカラでよい。
【００１１】
「構造変性された合成繊維」とは、以下にさらに説明するように、獣毛の表面に似た粗い構造にされた表面の合成繊維のことを意味する。
【００１２】
前記追加材料及び接着材料は、別々に格納及び／または使用されても、ともに供給されてもよい。従って、前記追加材料及び接着材料は、異なる容器に格納されて異なる塗布装置を用いて適用されてもよいし、ともに適用されてもよい。適切な塗布装置としては、例えば、ブラシを挙げることができる。
【００１３】
本発明は、さらに、ＮＯＡＨの延長及び／または濃化及び／または増大のための方法であって、延長及び／または濃化及び／または増大されるべき毛に、獣毛及び／または表面が獣毛の表面に似た粗い構造にされた、構造変性された合成繊維を含む追加材料、ならびに接着材料を適用することを含む方法に関する。前述のように、追加材料は使用前に着色してもよい。
【図面の簡単な説明】
【００１４】
【図１Ａ】図１Ａは、ナイロン繊維の略図である。
【図１Ｂ】図１Ｂは、ナイロン繊維の顕微鏡拡大写真である。
【図２Ａ】図２Ａは、人毛の略図である。
【図２Ｂ】図２Ｂは、人毛の顕微鏡拡大写真である。
【図３Ａ】図３Ａは、ウサギの毛の略図である。
【図３Ｂ】図３Ｂは、ウサギの毛の顕微鏡拡大写真である。
【図４Ａ】図４Ａは、ネコの毛の略図である。
【図４Ｂ】図４Ｂは、ネコの毛の顕微鏡拡大写真である。
【図５Ａ】図５Ａは、イヌの毛の略図である。
【図５Ｂ】図５Ｂは、イヌの毛の顕微鏡拡大写真である。
【図６Ａ】図６Ａは、図５Ａのものとは異なる血統のイヌの毛の略図である。
【図６Ｂ】図６Ｂは、図５Ｂのものとは異なる血統のイヌの毛の顕微鏡拡大写真である。
【図７】図７は、追加材料としての非着色の獣毛の写真である。
【図８】図８は、追加材料としての着色された獣毛の写真であって、ここではＮＯＡＨはまつ毛であり、目は開いている。
【図９】図９は、追加材料としての着色された獣毛の写真であって、ここではＮＯＡＨはまつ毛であり、目は閉じている。
【図１０Ａ】図１０Ａは、本発明の一部の顕微鏡拡大写真である。
【図１０Ｂ】図１０Ｂは、本発明の一部の別の顕微鏡拡大写真である。
【発明を実施するための形態】
【００１５】
本発明は、ＮＯＡＨの外観を変えるための化粧品、システム、及び方法に関する。本記載の中で、ＮＯＡＨは、例示的基材として以下の説明ではまつ毛が参照されるものの、構造変性された合成繊維、毛、またはその他の長い繊維もしくは材料等の任意の種類でよい。まつ毛への参照は、当然ながら、本発明を特定の用途に何ら限定するものではなく、本発明は、多様な基材に適用することができる。
【００１６】
構造変性した繊維は、合成繊維の表面の変性を入手するための当業者に知られている方法により達成できる。表面変性のための良く知られた方法の一部の例は、文書”Ｓｕｒｆａｃｅ  Ｍｏｄｉｆｉｃａｔｉｏｎ  ｏｆ  ＰＥＥＫ（商標）  Ｐｏｌｙｍｅｒ”  （ｈｔｔｐ：／／ｃｇｔｅｃ．ｅｕ／ｗｐ−ｃｏｎｔｅｎｔ／ｕｐｌｏａｄｓ／Ｓｕｒｆａｃｅ−ｍｏｄｉｆｉｃａｔｉｏｎ−ｏｆ−ＰＥＥＫ−ｅ．ｐｄｆによりオンラインで入手可能）に詳述されており、ここでは、表面変性を達成するために、粗面処理、表面のエッチング、プラズマ／コロナ／レーザ処理、およびＵＶ照射などの異なる方法を記載している。
【００１７】
表面変性のための方法の別の例は、文書”Ｃｏｌｄ  Ｇａｓ  Ｐｌａｓｍａ  Ｓｕｒｆａｃｅ  Ｍｏｄｉｆｉｃａｔｉｏｎ  Ａｄｈｅｓｉｏｎ  Ｂｏｎｄｉｎｇ．ｐｄｆ”  （ｈｔｔｐ：／／ｗｗｗ．ａｄｈｅｓｉｏｎｂｏｎｄｉｎｇ．ｃｏｍ／２０１２／０４／３０／ｃｏｌｄ−ｇａｓ−ｐｌａｓｍａ−ｓｕｒｆａｃｅ−ｍｏｄｉｆｉｃａｔｉｏｎ−ｏｐｔｉｍｉｚｅ−ｐｌａｓｔｉｃｓ−ｂｏｎｄｉｎｇ−ａｄｈｅｓｉｏｎ／によりオンラインで入手可能）に記載されており、ここでは、冷却気体のプラズマによる表面変性の工程を説明している。
【００１８】
またたとえば、記事”Ａ  Ｓｕｒｖｅｙ  ｏｆ  Ｓｕｒｆａｃｅ  Ｍｏｄｉｆｉｃａｔｉｏｎ  Ｔｅｃｈｎｉｑｕｅｓ”  （レビューの要約は、ｈｔｔｐ：／／ｗｗｗ．ｍｄｐｉ．ｃｏｍ／２０７３−４３６０／６／９／２３０９によりオンラインで入手可能）中の、表面のパターン仕上げに対する当業者による多くの参照文献が存在する。
【００１９】
本発明の構造変性した繊維は、いずれかの当業者に知られている方法により達成できるが、上記の参照文献は、合成物質の表面を変性させるための、当業者により入手可能ないくつかの技術例であり、構造変性した繊維を入手するための任意の特性の方法に本発明を限定することを意味しない。
【００２０】
ＮＯＡＨの延長及び濃化は、追加材料（すなわち、以下にさらに記載するフィラメント系材料）を基材、ＮＯＡＨに塗布することによって達成される。このシステムは、接着材料と組み合わせて塗布することができるか、または、それ自身接着性がある追加材料を含む。追加材料と接着材料が互いに別々の場合、第一に接着材料がＮＯＡＨに塗布され、次に追加材料が塗布されて、追加された材料の層を作る。前記接着材料は、前記追加材料が塗布された後に、前記第一の層と部分的に、または本質的に完全に重なりうる第二の層用に再度用いることができる。前記追加材料と接着材料が同じ材料の時、またはこれらが分離できない場合、これらは一段階の塗布でフィラメントに適用される。
【００２１】
いずれの場合でも、これら材料の塗布は、ＮＯＡＨにこれら材料を広げるのに適する任意の方法と器具によって行うことができる。適切な器具としては、例えばブラシでよい。ＮＯＡＨに前記追加材料を塗布するための適切な器具の一例は、２つの容器の組であるとともに、これら容器のそれぞれは、ブラシを備える。第一の容器は、第一のブラシで塗布される接着材料としてのマスカラを含み、他方の容器は、追加材料を塗布するための第二のブラシを備える。かかる容器とブラシの組は、マスカラと追加材料の分離に寄与し、場合によっては好ましくない、または一部の使用者にとっては塗布の利便性から好まれることがある混合を防ぐ。
【００２２】
最終構造の耐久性は、ＮＯＡＨと追加材料の間の連結の強さによって決まる。この耐久性は、追加材料及びＮＯＡＨ両方の幾何学的形態から生じる追加材料の表面とＮＯＡＨの間の摩擦に大きく左右され、摩擦が増せば、最終構造の耐久性も増す。本発明は、既定の所望のＮＯＡＨの外観を変えることに関するため、前記摩擦は、選ばれた追加材料、及び接着材料の作用である。
【００２３】
別々の追加材料及び接着材料の場合、接着材料は、いかなる種類のマスカラでもよいし、ＮＯＡＨに塗布するのに適した他の接着材料でもよい。当業者には明らかなように、多くの種類のマスカラが市販されており、本発明は、いかなる特定の種類のマスカラにも、いかなる特定の種類の他の接着材料にも限定されない。
【００２４】
追加材料のいくつかの例が図面に示されている。図１Ｂは、ナイロン繊維１０１の顕微鏡拡大写真である。図１Ａは、図１Ｂの写真の略図である。これらの図面で見られるように、ナイロン繊維の表面１０２は、本質的に平滑であり、それゆえ、耐久性のある連結を作り出すためには他の材料よりふさわしくない。従来技術によれば、合成繊維がまつ毛の延長に用いられている。これらの図面で見られるように、ナイロン繊維等の非変性合成繊維表面の幾何学的形態は実質的に平滑であり、本発明の目的には適さない。
【００２５】
図２Ｂは、人毛２０１の顕微鏡拡大写真である。図２Ａは、図２Ｂの写真の略図である。これらの図面は、人毛２０１の表面２０２が、ナイロン繊維１０１の表面１０２より平滑ではないことを示している。
【００２６】
本発明によれば、獣毛または構造変性された合成繊維（本明細書で定義した通り）は、適切な表面を備えており、従来技術と比べて最終結果を大幅に改良する。図３から図７は、獣毛の追加材料としての構造的利点を示す。
【００２７】
図３Ｂは、ウサギの毛３０１の顕微鏡拡大写真である。図３Ａは、図３Ｂの写真の略図である。これらの図面に見られるように、表面３０２は、追加材料、図３の場合はウサギの毛３０１、及び選択されたＮＯＡＨの間の摩擦に寄与するかかり（ｂａｒｂ）３０３を含んでいる。
【００２８】
図４Ｂは、ネコの毛４０１の顕微鏡拡大写真である。図４Ａは、図４Ｂの写真の略図である。ネコの毛４０１もまた、ウサギの毛３０１の表面３０２と同様、その表面４０２にかかり４０３を有しているが、ネコの毛の場合は、かかりはより長い。
【００２９】
図５Ｂ及び図６Ｂは、どちらもイヌの毛の顕微鏡拡大写真であるが、異なる種類のイヌのものである。図５Ａ及び図６Ａは、それぞれ図５Ｂ及び図６Ｂの写真の略図である。図５は、図３及び図４のものよりも幅の広いかかり５０３を示し、図６は、より大きな傾斜の大きなかかり（ｄｉｐｐｅｒ  ｂａｒｂ）６０３を示している。
【００３０】
本発明者らが行った実験では、これらの獣毛の各々は、満足できる結果を与えた。また、毛の異なる種類が最終的な外観に影響を及ぼす可能性があり、化粧品の選択肢が複数あるその他の場合と同様、個人の好みに応じて使用者によって選択されうる。さらに、追加材料は、異なる動物の毛の組み合わせを含んでもよい。
【００３１】
説明はネコ、イヌ、及びウサギの毛を参照しているが、本発明は、これらの種類の毛にのみ限定されるものではなく、これらの起源は本発明の実施形態を説明するために提供されているのみである。毛は、適切な幾何学的形態の毛表面を有する任意の動物のものでよく、すでに述べたように、獣毛の表面粗さに類似した合成フィラメントで置き換えることもできる。
【００３２】
意外にも、追加材料を最初に着色すると、結果が顕著に良くなることが実験で分かった。図７は、着色されていない追加材料７０１としての獣毛を示す。追加材料７０１の色は、追加材料７０１がつけられるまつ毛と明らかに異なる。さらに、最終構造の形は、不規則に散乱している。
【００３３】
図８及び図９は、追加材料８０１が最初に着色された場合の、結果の顕著な改良を示す。当然ながら、選択色は黒である必要はなく、元のＮＯＡＨの色に合うように使用者によって選択されてもよい。着色された追加材料８０１は、図７の追加材料７０１よりも繊維性が低く、ＮＯＡＨと一体化して、ＮＯＡＨの延長のように見える。
【００３４】
本発明の別の利点は、ＮＯＡＨへの追加の長さがほぼ無制限だという点である。ＮＯＡＨ及び追加材料間ならびに２層の追加材料間の連結はとても強いため、大量の追加材料の使用を可能にする実質的な耐久性を与える。図８では、まつ毛の最終結果８０１は、まつ毛が元のサイズの３倍を超えて延長されたことを示す。実験の際、測定された長さは２．５ｃｍ以上であった。上記の実験で裏付けられたように、獣毛が使用前に着色された場合、この獣毛とＮＯＡＨの間の連結が強化される。この発見は、製品の耐久性に多大な影響を与え、従来技術に比べてかなりの改良をもたらす。
【００３５】
図１０Ｂは、これら実施例の着色獣毛１００１の顕微鏡拡大写真であり、図１０Ａは、混合着色獣毛の顕微鏡拡大写真であり、毛の端１００２を示すとともに、この表面は、所望の幾何学的効果を与えるかかり１００３をはっきりと含んでいる。
【００３６】
工程の終了後、形成された構造は、さらに手で整えられ、丸められ、形作られてもよい。ＮＯＡＨからの追加材料の除去は、接着材料に左右される。接着材料が例えば非防水のマスカラの場合、除去は単にＮＯＡＨを水洗することによって行うことができる。例えばマスカラが防水の場合、除去は任意の従来の化粧落とし材料で行うことができる。
【００３７】
上記記載のすべては、説明の目的でなされたものであって、本発明を何ら限定するものではない。本発明は、既存の技術と比べて大きな利益をもたらす。例えば、ＮＯＡＨと追加材料の間に生じた連結はとても強いため、たとえその延長が従来技術によって達成されうるよりはるかに大きくても、その効果は２週間以上維持できるという点である。
【手続補正２】
【補正対象書類名】特許請求の範囲
【補正対象項目名】全文
【補正方法】変更
【補正の内容】
【特許請求の範囲】
【請求項１】
ＮＯＡＨの延長及び／または濃化システムであって：
ａ）前記ＮＯＡＨに連結するのに適する追加材料であるとともに、獣毛、および／または表面が獣毛の表面に似た粗い構造にされた構造変性された合成繊維を含む追加材料；ならびに合成繊維  ｂ）接着材料；
を含み、
前記追加材料が容器の中に含まれる、
システム。
【請求項２】
前記ＮＯＡＨが人毛である、請求項１に記載のシステム。
【請求項３】
前記人毛がまつ毛である、請求項２に記載のシステム。
【請求項４】
前記人毛が眉毛である、請求項２に記載のシステム。
【請求項５】
前記獣毛が、ネコ、イヌ、またはウサギの毛から選ばれる、請求項１に記載のシステム。
【請求項６】
前記獣毛が着色される、請求項１に記載のシステム。
【請求項７】
前記接着材料がマスカラである、請求項１に記載のシステム。
【請求項８】
前記追加材料と前記接着材料が混ざり合っている、請求項１に記載のシステム。
【請求項９】
前記追加材料と前記接着材料が同一の材料である、請求項１に記載のシステム。
【請求項１０】
さらに、前記接着材料の容器を含む、請求項１に記載のシステム。
【請求項１１】
さらに、前記追加材料及び／または前記接着材料の塗布器を含む、請求項１に記載のシステム。
【請求項１２】
延長及び／または濃化されるべき毛に、獣毛及び／または表面が獣毛の表面に似た粗い構造にされた、構造変性された合成繊維を含む追加材料、ならびに接着材料を適用することを含み、容器の中に含まれる、ＮＯＡＨの延長及び／または濃化方法。
【請求項１３】
前記追加材料が、使用前に着色される、請求項１２に記載の方法。
【国際調査報告】
2016534244.tif 000019
2016534244.tif 000020
2016534244.tif 000021